(57)【特許請求の範囲】
【請求項１】
遊技盤に、遊技球の入賞が大入賞口の開閉の契機となる始動口と、前記大入賞口を備えるとともに一般の領域と特定の領域を内部で区分した変動入賞装置とを備え、前記特定の領域を遊技球が通過すると、前記大入賞口を複数回開閉する大当たり遊技が発生するようにした遊技機において、
前記変動入賞装置の、入賞した遊技球が前記一般の領域もしくは前記特定の領域に導かれる途中に、動作パターンが変化する内部構造物を設けて、該内部構造物の動作パターンの変化により、遊技球が前記特定の領域を通過する確率を変化させ、
遊技球が前記特定の領域を通過したことを契機として、大当たり遊技終了後の前記内部構造物の動作パターンが変化し、遊技球が前記特定領域を通過する確率が変更されるようにしたことを特徴とする遊技機。
【請求項２】
大当たり遊技時の、遊技球が前記特定の領域を通過する確率を高くする前記内部構造物の動作パターンと、大当たり終了後の、遊技球が前記特定の領域を通過する確率を高くする前記内部構造物の動作パターンとは異なることを特徴とする請求項１記載の遊技機。
【請求項３】
前記内容構造物は、下部で遊技球を停留する役割を持つ流路変更部材と、上部へ遊技球を誘導する部材と、上部で遊技球を停留する部材とを含むことを特徴とする請求項１または２記載の遊技機。
【請求項４】
前記内容構造物は、下部で遊技球を停留する役割を持つ流路変更部材と、電磁石を備え、該電磁石のオン・オフにより経路を変えて上部へ遊技球を誘導する誘導回転体と、上部で遊技球を停留する部材とを含むことを特徴とする請求項１または２記載の遊技機。
【発明の詳細な説明】
【０００１】
【発明の属する技術分野】
本発明は、遊技機に関し、特に、第２種と呼ばれる遊技機の大当たり終了後の遊技性を変化に富んだものとする技術に関する。
【０００２】
【従来の技術】
従来の第２種と呼ばれる遊技機は、遊技盤下部左右と中央との３箇所に始動口（第２種始動口）を備え、遊技盤中央に大入賞口を有する変動入賞装置（第２種特別電動役物）を備えている。また変動入賞装置内部には複数の入賞領域が設けられ、入賞した遊技球がその何れかに導かれる。そして、遊技球が始動口に入賞すると賞球として遊技球が例えば５個払い出されるとともに、大入賞口が１回または２回開閉し、入賞した遊技球が変動入賞装置内の特定の入賞領域を通過すると大当たりとなる。そして、大当たりとなると１ラウンドについて大入賞口が１８回開放され（ただし、１８回の開放作動の間に１０球の遊技球が入賞すると、そのラウンドは終了する。）、その間に再び遊技球が特定の入賞領域を通過すると次ぎのラウンドに進み、最高１５ラウンドまで作動する。そして大当たり終了後は大当たり開始前と全く同じ遊技状態に戻る。
【０００３】
【発明が解決しようとする課題】
ところで、第１種の遊技機においては、通常の遊技状態から大当たり乱数の抽選による図柄判定で大当たりが発生すると、図柄によっては大当たり終了後の遊技状態が、通常に比べて大当たり乱数の抽選確率を高くした高確率状態（確率変動遊技状態）となる。この高確率の遊技状態が第１種遊技機の大きな魅力であり、第１種が多くの遊技者の支持を得ている所以である。
【０００４】
それに対し、第２種の遊技機の大当たりの遊技性は、変動入賞装置の動作パターンが固定的で変化に乏しく、特に、第１種のような大当たり終了後の確率変動遊技状態がないために魅力に乏しい。
【０００５】
そのため、第２種においても第１種のような遊技性、特に大当たり終了後に魅力のある遊技状態が得られるようにすることが求められている。
【０００６】
本発明は、第２種遊技機の大当たり遊技終了後等の遊技性を変化に富んだものとすることを目的とする。
【０００７】
【課題を解決するための手段】
本発明は、遊技盤に、遊技球の入賞が大入賞口の開閉の契機となる始動口と、前記大入賞口を備えるとともに一般の領域と特定の領域を内部で区分した変動入賞装置とを備え、前記特定の領域を遊技球が通過すると、前記大入賞口を複数回開閉する大当たり遊技が発生するようにした遊技機において、前記変動入賞装置の、入賞した遊技球が前記一般の領域もしくは前記特定の領域に導かれる途中に、動作パターンが変化する内部構造物を設けて、該内部構造物の動作パターンの変化により、遊技球が前記特定の領域を通過する確率を変化させ、遊技球が前記特定の領域を通過したことを契機として、大当たり遊技終了後の前記内部構造物の動作パターンが変化し、遊技球が前記特定領域を通過する確率が変更されるようにしたものである。
【０００８】
この遊技機は、大当たり遊技時の、遊技球が前記特定の領域を通過する確率を高くする前記内部構造物の動作パターンと、大当たり終了後の、遊技球が前記特定の領域を通過する確率を高くする前記内部構造物の動作パターンとは異なるようにするのがよい。
【０００９】
そして、前記内容構造物は、下部で遊技球を停留する役割を持つ流路変更部材と、上部へ遊技球を誘導する部材と、上部で遊技球を停留する部材とを含むのがよい。
【００１０】
また、前記内容構造物は、下部で遊技球を停留する役割を持つ流路変更部材と、電磁石を備え、該電磁石のオン・オフにより経路を変えて上部へ遊技球を誘導する誘導回転体と、上部で遊技球を停留する部材とを含むのがよい。
【００１１】
そして、これら本発明による遊技機は、特に、大当たり遊技状態への移行の契機となる遊技球の特定領域通過時の図柄判定によって、大当たり遊技終了後の内部構造物の動作パターンを変化させ、遊技球が特定領域を通過する確率を変更するものとするのがよく、その場合、変更した大当たり遊技終了後の動作パターンは、次回の大当たり遊技状態発生まで続くものとするのがよい。
【００１２】
本発明の遊技機は、変動入賞装置の内部構造物の動作パターンの変化によって遊技球が特定領域を通過する確率を変更可能としたことにより、従来単調であった第２種遊技機の遊技性に変化を持たせることができ、特に、大当たり遊技終了後の内部構造物の動作パターンを変化させ、遊技球が特定領域を通過する確率を変更することによって、第１種遊技機における確率変動遊技状態に匹敵する魅力のある遊技状態を現出することができる。
【００１３】
【発明の実施の形態】
以下、本発明の実施の形態を図面に基づいて説明する。
【００１４】
図１は本発明の実施の形態の一例における遊技機の盤面配置を示している。この遊技機は、所謂第２種遊技機であり、図１に示すように、遊技盤10の略中央部に、大入賞口21を備えるとともに後述のように内部に左右２箇所の一般領域26と中央の特定領域25を備えた第２種特別電動役物（変動入賞装置）20が設けられ、該第２種特別電動役物20の下方に、左右および中央の３個の第２種始動口（左第２種始動口11Ａ、右第２種始動口11Ｂおよび中第２種始動口12）が設けられている。
【００１５】
第２種特別電動役物20には、図２（拡大正面図）および図３（内部構造図）に示すように、上部に左右一対の開閉可動翼片21Ａ、21Ｂにより入口が開閉される大入賞口21が設けられ、該大入賞口21の下方には内部構造物として、左右一対からなる角度変更可能な下部排出口上流路変更部材22（流路変更部材）が設けられ、表面の左右各４箇所に永久磁石28が配置され中央１箇所に永久磁石27が配置されるとともに中央寄り左右２箇所に電磁石29が配設された誘導回転体23が設けられ、所定遊技状態において誘導回転体23により誘導された遊技球を該回転体上部に停留させる回転体上停留部ストッパ24が設けられ、また、大入賞口21から入賞した遊技球を該装置下部へ誘導する左右の球通路61Ａ、61Ｂが設けられ、それら左右の球通路61Ａ、61Ｂを通過する入賞球をカウントする大入賞口左スイッチ51Ａおよび大入賞口右スイッチ51Ｂが設けられている。第２種特別電動役物20の上部には上部排出口が、下部には下部排出口が（いずれも図示せず）、それぞれ設けられている。
【００１６】
また、第２種特別電動役物20の上部には、確率変動状態の判定を図柄表示する確率判定表示装置31が設けられ、下端部分に後述の役物連続作動装置作動時における第２種特別電動役物20の平均連続作動回数の抽選結果を動画で報知するとともに、大当たり中のラウンド表示を行うラウンド表示装置としても機能する動画表示装置32が設けられている。
【００１７】
第２種特別電動役物20の内部には、左右２箇所の一般領域26と中央の特定領域25が設けられている。そして、大入賞口21に入賞した遊技球を直ちに検出する入賞感知機構（大入賞口スイッチ）が設けられ、特定領域を通過した遊技球を直ちに検出する通過感知機構（特定領域スイッチ）が設けられている。
【００１８】
図３に示すように、誘導回転体23の表面中央寄り左右２箇所に配置された電磁石29は、誘導回転体23の内部を貫通する中心軸30の表面に左右軸端から別々に導電素材49を配設し、中央で分離した左右の導電素材49が誘導回転体23の表面に露出する左右の電磁石29の部分とそれぞれ接触する形で設けられている。そして、中心軸30の左右の軸端部外周に対向してそれぞれ電磁石スイッチ47が配置され、それら電磁石スイッチ47を作動させるソレノイド48が左右別々に設置されている。左右の電磁石29は、各ソレノイド48による電磁石スイッチ47の上下作動によってＯＮ・ＯＦＦが切り換わる。詳細には、ソレノイド48がＯＦＦ状態の時には電磁石スイッチ47は導電素材49から離れ、電磁石29はＯＦＦとなる。また、ソレノイド48がＯＮ状態の時には電磁石スイッチ47が導電素材49と当接し、その当接した側の電磁石29がＯＮとなる。
【００１９】
第２種特別電動役物20の背部には回転体モータ41が設置されている。回転体モータ41は回転ギヤ42、43、44を介して誘導回転体23の中心軸30を駆動し、誘導回転体23を回転させる。
【００２０】
第２種特別電動役物20の背部には、上ストッパソレノイド45が設置されている。回転体上停留部ストッパ24は、この上ストッパソレノイド45によりＯＮ・ＯＦＦ作動する。
【００２１】
また、第２種特別電動役物20の背部には左右に下ストッパモータ46が設置されている。これら左右の下ストッパモータ46により、左右一対の下部排出口上流路変更部材22の当接角度が変更される。
【００２２】
第２種特別電動役物20は、大入賞口21による入賞口としての機能と、内部構造物による特定領域への誘導の機能と、特定領域通過率（大入賞口に入賞した遊技球が特定領域を通過する確率）を変化させる機能を有する。
【００２３】
そのうち、入賞口としての機能は、該大入賞口21に遊技球が入ることにより入賞が発生し、入賞球１球毎に所定数（例えば１０個）の賞球が払い出されるとともに、左第２種始動口11Ａまたは右第２種始動口11Ｂへの遊技球の入賞により第２種特別電動役物20が作動した場合は、大入賞口21の入口が１回開放され、中第２種始動口12への入賞により第２種特別電動役物20が作動した場合は、大入賞口21の入口が２回開放され、また、後述の役物連続作動装置の作動により第２種特別電動役物20が作動すると、大入賞口21の入口が１８回開放される（ただし、大入賞口21に１０個の遊技球が入賞した場合は、開放途中であっても直ちに開放動作が終了する。）という機能である。
【００２４】
また、特定領域へ誘導する機能は、大入賞口21に入賞した遊技球を、下部排出口上流路変更部材22、誘導回転体23および回転体上流停留部ストッパ24により、特定領域に誘導し、特定領域から外れたものは一般領域を経て前記上部排出口から排出するという機能である。
【００２５】
そして、特定領域の通過率を変化させる機能は、後述のように役物連続作動装置作動時の第２種特別電動役物20の内部構造物の動作パターンを、特定領域通過率が低確率時と中確率時と高確率時とで変更するとともに、役物連続作動装置作動終了後（非作動時）の内部構造の動作パターンを、図柄判定による確率判定表示装置31の表示内容（「○」または「×」）に応じて、特定領域通過率が高確率時（確率変動状態時）と低確率時（通常遊技状態時）とで変更するものである。
【００２６】
また、遊技機の制御系には役物連続作動装置（図示せず）が設けられている。この役物連続作動装置は、図４に示すように、第２種始動口（左第２種始動口11Ａ、右第２種始動口11Ｂおよび中第２種始動口12）への入賞による第２種特別電動役物20の作動中に、遊技球が特定領域25を通過すると作動する。役物連続作動装置の作動中、第２種特別電動役物20は１６回（最大連続作動回数）まで繰り返し作動可能である。
【００２７】
また、遊技機の制御系には平均連続回数変更装置（図示せず）が設けられている。この平均連続回数変更装置は、役物連続作動装置作動時における第２種特別電動役物20の平均連続作動回数を抽選により決定し、抽選結果に基づき第２種特別電動役物20の内部構造物を動かすことにより特定領域通過率を変化させ、また、第２種特別電動役物20の平均連続作動回数を変更する。
【００２８】
さらに、遊技機の制御系には役物作動確率変更装置（図示せず）が設けられている。この役物作動確率変更装置は、大当たり遊技状態発生の契機となる遊技球の特定領域通過時の図柄判定によって、役物連続作動装置非作動時の特定領域通過率を変化させる。図柄判定は確率判定表示装置31により表示される。なお、この確率判定表示装置31の作動契機はこのように大当り遊技発生の契機となる遊技球が特定領域を通過することによる図柄判定であってもよいし、また大当たり遊技状態の最終ラウンドで遊技球が特定領域を通過することにより図柄判定を行うものであってもよい。
【００２９】
前記役物連続作動装置の作動中、第２種特別電動役物20が作動すると、その１回の作動毎に１８回、あるいは大入賞口21に１０個の遊技球が入賞するまで、大入賞口21の入口が繰り返し開放される。また、役物連続作動装置は、連続作動する第２種特別電動役物20の１回毎の作動中に、遊技球が特定領域25を通過しなかったとき、あるいは第２種特別電動役物が１６回の作動を終了したときに作動を終了する。
【００３０】
そして、大入賞口21の入口の開放動作には、第２種特別電動役物20の作動から大入賞口21の入口の最初の開放までの時間（以下「開放前時間」という。）が予め定められる。図４に示すように、大入賞口21は、第２種特別電動役物20が作動した後、この開放前時間が経過した後で開放される。
【００３１】
また、大入賞口21の入口の開放動作には、該開放動作の終了後、大入賞口21内に残存している遊技球が特定領域を通過するのに必要な時間（以下「有効時間」という。）が予め定められる。第２種特別電動役物20の１回毎の作動は、大入賞口21の入口の開放動作が終了した後、さらにこの有効時間だけ継続し、有効時間終了後に作動が終了する（図４参照）。
【００３２】
第２種始動口（左第２種始動口11Ａ、右第２始動口11Ｂおよび中第２種始動口12）の機能は、遊技球が入ることにより入賞が発生し、入賞球１球毎に所定数（例えば５個）の賞球が払い出されるとともに、大入賞口開放の契機となることで、遊技球が左第２種始動口11Ａまたは右第２種始動口11Ｂへ入賞すると、第２種特別電動役物20が作動して左右一対の開閉可動翼片21Ａ、21Ｂが開閉し大入賞口21の入口が１回開放され、遊技球が中第２種始動口12へ入賞すると、第２種特別電動役物20が作動して左右一対の開閉可動翼片21Ａ、21Ｂが開閉し大入賞口21の入口が２回開放される。第２種始動口内部には、入賞した遊技球を直ちに検出する入賞感知機構（図示せず）が設けられる。
【００３３】
また、第２種始動口（左第２種始動口11Ａ、右第２始動口11Ｂおよび中第２種始動口12）の大入賞口開放の契機としての機能は、第２種始動口への入賞により第２種特別電動役物20が作動した場合に、その第２種特別電動役物20の作動開始時から大入賞口21の入口の開閉が終了するまで無効とされ、また、前記役物連続作動装置の作動開始時から作動終了時まで無効とされる。
【００３４】
この遊技機の基本動作は次の通りである。
【００３５】
（１）遊技球が左第２種始動口11Ａまたは右第２種始動口11Ｂに入賞すると、大入賞口21の入口の開放動作を１回（開放時間０.５秒）行い、中第２種始動口12に入賞すると、大入賞口21の入口の開放動作を２回（１回の開放時間約０.８秒）行う。
【００３６】
（２）第２種始動口（左第２種始動口11Ａ、右第２種始動口11Ｂ、中第２種始動口12）への遊技球の入賞による大入賞口21の入口の開放動作中に入賞した遊技球が特定領域25を通過すると、役物連続作動装置が作動する。
【００３７】
（３）役物連続作動装置が作動すると、役物連続作動装置の１回の作動における第２種特別電動役物20の平均の連続作動回数を決定する平均連続回数変更装置が作動し、第２種特別電動役物20の内部構造物の動作パターン（特定領域通過率の変化パターン）を抽選し、その抽選結果を役物連続作動装置の作動開始時から大入賞口の開放開始間での間に動画表示装置32を用いて動画により報知する。
【００３８】
（４）役物連続作動装置の１回の作動により第２種特別電動役物20が連続して作動する回数は、初回を含め最高１６回である。
【００３９】
（５）役物連続作動装置作動中の第２種特別電動役物20の１回の作動で大入賞口21の入口の開放動作を１８回行う。但し、遊技球が大入賞口21に１０個入賞した場合は第２種特別電動役物20の作動を終了する。また、遊技球が新たに特定領域25を通過したときは新たに第２種特別電動役物20が作動する。
【００４０】
（６）役物連続作動装置作動中の内部構造物の動作パターンは、「高確率］、「中確率」、「低確率」の３種類である。「高確率」の場合は遊技球の特定領域通過率が高くなり、「中確率」の場合は特定領域通過率が低く、「低確率」の場合は非常に低くなる。
【００４１】
（７）動画は、継続可能なラウンド回数を［１」、「７」、「１６」、の３種類の表示により報知する。「１」の場合、継続可能なラウンド回数は１回となる。また、「７」の場合は、７ラウンドまで継続可能となる。また、「１６」の場合は、１６ラウンド（最高継続回数）まで継続可能となる。
【００４２】
（８）役物連続作動装置非作動時の第２種始動口（左第２種始動口11Ａ、右第２種始動口11Ｂ、中第２種始動口12）への入賞による第２種特別電動役物作動時の内部構造物の動作パターンは、「高確率」、「低確率」の２種類であり、「高確率」の場合は第２種始動口への遊技球の入賞による第２種特別電動役物作動中の遊技球の特定領域通過率が、役物連続作動装置作動終了時から次回の大当たり遊技状態発生まで高くなり、「低確率」の場合は次回の大当たり遊技状態発生まで特定領域通過率が低くなる。
【００４３】
第２種特別電動役物20の内部構造物の動作パターンを次に説明する。
【００４４】
まず、役物連続作動装置作動時における低確率時の動作パターン（パターンＡ）は次の通りである。
【００４５】
（１）下部排出口上流路変更部材22は左右それぞれ５度上に傾いて山なりに当接する状態となり、遊技球が下部排出口上流路変更部材22に停留される。下部排出口上流路変更部材22に停留されなかった遊技球は下部排出口から遊技盤裏側に排出される。この時、電磁石29はＯＦＦである。
【００４６】
（２）下部排出口上流路変更部材22に停留された遊技球は、誘導回転体23の永久磁石28および27に吸着されて誘導回転体23の回転により特定領域もしくは一般領域に誘導され、上部排出口から遊技盤裏側に排出される。この時、電磁石29はＯＦＦである。
【００４７】
また、役物連続作動装置作動時における中確率時の第２種特別電動役物20の内部構造物の動作パターン（パターンＢ）は次の通りである。
【００４８】
（１）大入賞口21が開放動作を開始した後、大入賞口21に遊技球が６個入賞するまでは下部排出口上流路変更部材22が左右それぞれ５度上に傾いて山なりに当接する状態となり、遊技球が下部排出口上流路変更部材22に停留され、下部排出口上流路変更部材22に停留されなかった遊技球は下部排出口から遊技盤裏側に排出される。この時、電磁石29はＯＦＦである。
【００４９】
（２）大入賞口21に遊技球が６個入賞すると下部排出口上流路変更部材22が左右それぞれ５度下に傾いて逆さ山なり当接する状態となり、遊技球が下部排出口上流路変更部材22に停留され、下部排出口上流路変更部材22に停留されなかった遊技球は下部排出口から遊技盤裏側に排出される。この時、電磁石29はＯＦＦである。
【００５０】
（３）下部排出口上流路変更部材22に停留された遊技球は、誘導回転体23の永久磁石28および27に吸着して誘導回転体23の回転により特定領域もしくは一般領域に誘導され、上部排出口から遊技盤裏側に排出される。この時、電磁石29はＯＦＦである。
【００５１】
（４）大入賞口21の開放動作が終了すると、下部排出口上流路変更部材22が左右それぞれ５度上に傾いて山なりに当接する状態となり、誘導回転体23の永久磁石28および27に吸着しなかった遊技球は下部排出口から遊技盤裏側に排出される。
【００５２】
さらに、役物連続作動装置作動時における高確率時の動作パターン（パターンＣ）は次の通りである。
【００５３】
（１）大入賞口21が開放動作を開始すると同時に回転体上停留部ストッパ24がＯＮとなり、下部排出口上流路変更部材22は左右それぞれ５度下に傾いて逆さ山なり当接する状態となり、遊技球が下部排出口上流路変更部材22に停留され、下部排出口上流路変更部材22に停留されなかった遊技球は下部排出口から遊技盤裏側に排出される。この時、電磁石29はＯＦＦである。
【００５４】
（２）回転体上停留部ストッパ24はＯＮで、下部排出口上流路変更部材22に停留された遊技球は、誘導回転体23の永久磁石28および27に吸着されて誘導回転体23の回転により回転体上停留部ストッパ24へ運ばれて停留され（５個まで停留可能）、停留できなかった遊技球は下部排出口上流路変更部材22へ落下する。この動作を繰り返す。この時、電磁石29はＯＦＦである。
【００５５】
（３）大入賞口21の開閉動作が終了すると、下部排出口上流路変更部材22が左右それぞれ５度上に傾いて山なりに当接する状態となり、誘導回転体23の永久磁石28および27に吸着しなかった遊技球は下部排出口から遊技盤裏側に排出される。
【００５６】
（４）大入賞口21の開放動作が終了し所定時間が経過すると、回転体上停留部ストッパ24がＯＦＦとなり、回転体上停留部に停留していた遊技球が特定領域もしくは一般領域に誘導され、上部排出口から遊技盤裏側に排出される。
【００５７】
また、役物連続作動装置非作動時における低確率時の動作パターン（パターンＤ）は次の通りである。
【００５８】
（１）大入賞口21の１回または２回の開放動作を契機として下部排出口上流路変更部材22が左右それぞれ５度上に傾いて山なりに当接する状態となり、遊技球が下部排出口上流路変更部材22に停留される。下部排出口上流路変更部材22に停留されなかった遊技球は下部排出口から遊技盤裏側に排出される。
【００５９】
（２）下部排出口上流路変更部材22に停留された遊技球は、誘導回転体23の永久磁石28および27に吸着して誘導回転体23の回転により特定領域もしくは一般領域に誘導され、上部排出口から遊技盤裏側に排出される。この時、電磁石29はＯＦＦである。
【００６０】
（３）誘導回転体23の永久磁石28および27に吸着しなかった遊技球は、下部排出口から遊技盤裏側に排出される。
【００６１】
また、役物連続作動装置非作動時における高確率時の動作パターン（パターンＥ）は次の通りである。
【００６２】
（１）大入賞口21の１回または２回の開放動作を契機として下部排出口上流路変更部材22が水平状態で当接する状態となり、遊技球が下部排出口上流路変更部材22に停留される。下部排出口上流路変更部材22に停留されなかった遊技球は下部排出口から遊技盤裏側に排出される。
【００６３】
（２）誘導回転体23に設けられている中央寄り２箇所の電磁石29は通電状態（ＯＮ）で、下部排出口上流路変更部材22に停留された遊技球は、誘導回転体23の永久磁石28および27と電磁石29に吸着されて誘導回転体23の回転により回転体上停留部へ運ばれて、特定領域もしくは一般領域に誘導され、上部排出口から遊技盤裏側に排出される。
【００６４】
（３）回転体誘導部の永久磁石28および27と電磁石29に吸着しなかった遊技球は、下部排出口から遊技盤裏側に排出される。
【００６５】
そして、この遊技機の通常遊技状態、大当たり遊技状態および確率変動遊技状態での動作はそれぞれ次のとおりである。
【００６６】
まず、通常遊技状態時には、第２種特別電動役物20の内部構造物の動作パターンは前記「パターンＤ」で、図５に示すように、下部排出口上流路変更部材22は水平より５度上に傾いて山なりとなり、誘導回転体23の電磁石29はＯＦＦ、回転体上停留部ストッパ24はＯＦＦである。
【００６７】
この状態では、左第２種始動口11Ａ、右第２種始動口11Ｂ、中第２種始動口12のいずれかに遊技球が入賞することにより、所定個数（例えば５個）の賞球の払い出しが行われるとともに、大入賞口21が１回または２回の開放される。そして、開放中の大入賞口21に入賞し、球通路61Ａ、61Ｂを通って、水平より５度上に傾いて山なりとなっている下部排出口上流路変更部材22に到達し停留された遊技球は、誘導回転体23の永久磁石28および27に吸着されて上部へ運ばれ、回転体上停留部ストッパ24が遊技球を停留させない状態であるため、そのまま一般領域26または特定領域25に誘導される。そして、一般領域または特定領域を通過することにより所定個数（例えば１０個）の賞球払い出しが行われ、特定領域25を遊技球が通過すると大当たり遊技状態が発生する。
【００６８】
この時、下部排出口上流路変更部材22が山なりで、且つ電磁石29がＯＦＦであるため、誘導回転体23により運ばれる遊技球は左右の一般領域26に誘導されやすく、特定領域25を通過する確率は低い。
【００６９】
また、大当り遊技状態時には、第２種特別電動役物20の内部構造物の動作パターンは前記「パターンＡ」、「パターンＢ」あるいは「パターンＣ」で、例えば「パターンＣ」の場合は図６に示すように、下部排出口上流路変更部材22は水平より５度下に傾いて逆さ山なりとなり、誘導回転体23の電磁石29はＯＦＦ、回転体上停留部ストッパ24は当初ＯＮである。
【００７０】
この状態は、第２種特別電動役物20による大入賞口21の開放作動が１８回、あるいはその作動中に大入賞口21に１０個の遊技球が入賞するまでの１ラウンドとし、ラウンド中に遊技球が特定領域25を通過することを条件として、役物連続作動装置の作動中、最高１６ラウンドまで継続される。ラウンド中とは大入賞口開口開始から１８回の作動が終了し、更に例えば２秒の有効時間が経過するまで、あるいは、大入賞口21の開放開始から入賞球カウントスイッチ51Ａ、51Ｂにより通過球１０球目が検知され、更に例えば２秒の有効時間が経過するまでである。
【００７１】
そして、開放中の大入賞口21に入賞し、球通路61Ａ、61Ｂを通って、逆さ山なりとなっている下部排出口上流路変更部材22に到達し停留された遊技球は、誘導回転体23の永久磁石28および27に吸着されて上部へ運ばれ、回転体上停留部ストッパ24により誘導回転体23の上部に停留され、遊技球１０個の検知あるいは１８回の開放作動の終了により回転体上停留部ストッパ24がＯＦＦとなると、上部に停留されていた遊技球は停留が解除されて、一般領域26または特定領域25に誘導される。そして、遊技球が特定領域25を通過することにより次ラウンドへ継続する。
【００７２】
この時、下部排出口上流路変更部材22が逆さ山なりであるため、遊技球は誘導回転体23の表面中央側の永久磁石27へ吸着されやすく、誘導回転体23の回転により運ばれて特定領域25を通過する確率が高くなる。
【００７３】
また、大当たり遊技状態終了後（役物連続作動終了後）の動作は、確率判定表示装置31の表示内容が「○」の時（確率変動遊技状態時）には、大当り遊技終了後から次回大当り遊技が発生するまでの間、第２種特別電動役物20の内部構造物の動作パターンは前記「パターンＥ」であって、図７に示すように、下部排出口上流路変更部材22は水平状態となり、誘導回転体23に設けられている中央寄り２箇所の電磁石29が通電状態（ＯＮ）となり、回転体上停留部ストッパ24はＯＦＦである。
【００７４】
この状態では、左第２種始動口11Ａ、右第２種始動口11Ｂ、中第２種始動口12のいずれかに遊技球が入賞することにより、所定個数（例えば５個）の賞球の払い出しが行われるとともに、大入賞口21が１回または２回の開放される。そして、開放中の大入賞口21に入賞し、球通路61Ａ、61Ｂを通って、水平状態となっている下部排出口上流路変更部材22に到達し停留された遊技球は、誘導回転体23の永久磁石28および27と中央寄り２箇所の電磁石29に吸着されて上部へ運ばれ、回転体上停留部ストッパ24が遊技球を停留させない状態であるため、そのまま一般領域26または特定領域25に誘導される。そして、一般領域26または特定領域25を通過することにより所定個数（例えば１０個）の賞球払い出しが行われ、特定領域25を遊技球が通過すると大当たり遊技状態が発生する。
【００７５】
この時、下部排出口上流路変更部材22が水平状態で、且つ、電磁石29がＯＮであるため、誘導回転体23により運ばれる遊技球が多くなり、特に中央寄りに運ばれる遊技球が多くなって、遊技球が特定領域25を通過する確率が高くなる。
【００７６】
また、確率判定表示装置31の表示内容が「×」であれば前記通常遊技状態時の動作となる。
【００７７】
【発明の効果】
以上の説明から明らかなように、本発明の遊技機は、変動入賞装置の内部構造物の動作パターンの変化によって遊技球が特定領域を通過する確率を変更可能としたことにより、第２種遊技機の遊技性に変化を持たせることができ、特に、大当たり遊技終了後の内部構造物の動作パターンを変化させ、遊技球が特定領域を通過する確率を変更することによって、第１種遊技機における確率変動遊技状態に匹敵する魅力のある遊技状態を得ることができ、第２種遊技機の遊技性を変化に富んだものとすることができる。
【図面の簡単な説明】
【図１】  本発明の実施の形態の一例における遊技機の盤面配置図である。
【図２】  本発明の実施の形態の一例における遊技機の盤面に配置される第２種特別電動役物の拡大正面図である。
【図３】  本発明の実施の形態の一例における遊技機の盤面に配置される第２種特別電動役物の内部構造図である。
【図４】  本発明の実施の形態の一例における遊技機の動作を示すタイムチャート図である。
【図５】  本発明の実施の形態の一例における遊技機の通常遊技状態における第２種特別電動役物の内部構造物の動作説明図である。
【図６】  本発明の実施の形態の一例における遊技機の大当り遊技状態における第２種特別電動役物の内部構造物の動作説明図である。
【図７】  本発明の実施の形態の一例における遊技機の確率変動遊技状態における第２種特別電動役物の内部構造物の動作説明図である。
【符号の説明】
10  遊技盤
11Ａ  左第２種始動口
11Ｂ  右第２種始動口
12  中第２種始動口
20  第２種特別電動役物
21  大入賞口
21Ａ、21Ｂ  開閉可動翼片
22  下部排出口上流路変更部材（流路変更部材）
23  誘導回転体
24  回転体上停留部ストッパ
25  特定領域
26  一般領域
27、28  永久磁石
29  電磁石
31  確率判定表示装置
32  動画表示装置（ラウンド表示装置）
【図１】
0003809354.tif 000002
【図２】
0003809354.tif 000003
【図３】
0003809354.tif 000004
【図４】
0003809354.tif 000005
【図５】
0003809354.tif 000006
【図６】
0003809354.tif 000007
【図７】
0003809354.tif 000008